(57)【要約】  【課題】  レーザダイオードの温度特性を測定する必要がなく、経年劣化があっても消光比制御が可能で、データレートが大きい場合でも高速な受光素子が不要で、データパターンや同符号が連続しても消光比を変動させないレーザダイオード駆動回路及び光送信装置を提供する。  【解決手段】  レーザダイオード３を駆動する変調電流の振幅を、モニタリング用の受光素子４の出力信号に基づいて制御するにあたり、レーザダイオードの駆動電流を変調する元信号である入力データ信号を、ローパスフィルタ９を介して比較増幅手段１０に加え、モニタ信号と比較し、その偏差信号を出力するとピーク検出手段１１は偏差信号のピークレベルを検出し、変調電流駆動手段１は入力データ信号に応じてレーザダイオードの駆動電流を変調する変調電流を出力し、ピーク検出手段によるピークレベルの検出値が最小になるように変調電流の振幅を変化させる。【選択図】  図１
2005057216.tif 000002
【特許請求の範囲】
【請求項１】
入力データ信号に従ってレーザダイオードの駆動電流を変調する変調電流の振幅を、前記レーザダイオードの出力パワーをモニタリングする受光素子の光出力モニタ信号に基づいて制御するレーザダイオード駆動回路において、
前記入力データ信号を入力し、所定の周波数より低い周波数成分を通過させ、高い周波数成分を減衰させて出力するローパスフィルタと、
前記ローパスフィルタの出力信号と前記光出力モニタ信号とを比較し、偏差信号を出力する比較増幅手段と、
前記比較増幅手段から出力される偏差信号のピークレベルを検出するピーク検出手段と、
前記入力データ信号に従って前記レーザダイオードの駆動電流を変調する変調電流を出力するとともに、前記ピーク検出手段によるピークレベルの検出値が最小になるように変調電流の振幅を変化させる変調電流駆動手段とを、
備えたことを特徴とするレーザダイオード駆動回路。
【請求項２】
入力データ信号に従ってレーザダイオードの駆動電流を変調する変調電流の振幅を、前記レーザダイオードの出力パワーをモニタリングする受光素子の光出力モニタ信号に基づいて制御するレーザダイオード駆動回路において、
前記入力データ信号を入力し、所定の周波数より低い周波数成分を通過させ、高い周波数成分を減衰させて出力するローパスフィルタと、
前記ローパスフィルタの出力信号のピークレベルを検出する第１のピーク検出手段及び前記光出力モニタ信号のピークレベルを検出する第２のピーク検出手段と、
前記第１のピーク検出手段の出力と前記第２のピーク検出手段の出力とを比較し、偏差信号を出力する比較増幅手段と、
前記入力データ信号に従って前記レーザダイオードの駆動電流を変調する変調電流を出力するとともに、前記比較増幅手段の出力レベルが最小になるように変調電流の振幅を変化させる変調電流駆動手段とを、
備えたことを特徴とするレーザダイオード駆動回路。
【請求項３】
前記比較増幅手段に対する前記入力データ信号の入力経路に信号を遅延させる遅延手段を備えたことを特徴とする請求項１又は２に記載のレーザダイオード駆動回路。
【請求項４】
前記光出力モニタ信号の平均値によってレーザダイオードを駆動する直流電流値を決定することを特徴とする請求項１から３のいずれか１つに記載のレーザダイオード駆動回路。
【請求項５】
請求項１から４のいずれか１つに記載のレーザダイオード駆動回路を集積回路内に集積化したことを特徴とするレーザダイオード駆動回路。
【請求項６】
レーザダイオードと、前記レーザダイオードを駆動する請求項１から５のいずれか１つに記載のレーザダイオード駆動回路とを備えたことを特徴とする光送信装置。
【発明の詳細な説明】
【技術分野】
【０００１】
本発明は、光ファイバを伝送路とする光伝送システムで用いるレーザダイオードを駆動するレーザダイオード駆動回路及びこのレーザダイオード駆動回路を用いた光送信装置に関する。
【背景技術】
【０００２】
光伝送システムで用いられる光送信回路におけるレーザダイオードの特性を図３に示す。同図において、横軸が駆動電流Ｉを表し、縦軸が出力パワーPを表している。ある温度条件ａでは、特性線Ｘで示したように、駆動電流Ｉをゼロから次第に増加させた場合、しきい値Ｉth(a)まで出力パワーＰはゼロの近傍で極めて小さな変化率で増加し、しきい値Ｉth(a)を過ぎると駆動電流の増大に応じて出力パワーＰは大きな変化率で直線的に増大する。このような条件で光出力のオン、オフでデジタル信号を強度変調する場合、変調電流振幅Ｉmodの大きい駆動電流に対する出力パワーＰ1(a)がオン、小さい駆動電流に対する出力パワーＰ0(a)がオフの光出力レベルとなる。また、光出力パワーの平均値はＰave(a)となる。このときの消光比はＰ1(a)／Ｐ0(a)で表される。
【０００３】
一方、温度が上昇した温度条件ｂ（＞ａ）では、特性線Ｙで示したように、レーザダイオードのしきい値Ｉth(b)が温度条件ａにおけるＩth(a)よりも大きい側に移動するとともに、しきい値Ｉth(b)以上の電流範囲での駆動電流Ｉの変化分に対する出力パワーＰの変化分、すなわち、効率も低下している。ここで、温度条件ｂにおける光強度の平均値Ｐaveを温度条件ａの場合と一致させようとすると、駆動電流Ｉを増加させなければならない。この場合、変調電流振幅Ｉmodを一定にしたままでは、消光比Ｐ1(b)／Ｐ0(b)は温度条件ａでの消光比Ｐ1(a)／Ｐ0(a)に比べて格段に低下してしまう。そのため、レーザダイオードを駆動する直流電流と変調電流をそれぞれ制御する必要がある。
【０００４】
図４は消光比を制御するためのもので、一般に広く知られ、先行技術文献情報の無い従来のレーザダイオード駆動回路の構成を示すブロック図である。同図において、レーザダイオード１０１に駆動電流を流すことによってこのレーザダイオード１０１が発光する。その出力パワーをモニタリングするために受光素子１０２が設けられている。受光素子１０２に流れる電流を電圧に変換する電流・電圧変換回路１０３が受光素子１０２と直流電源のアースとの間に直列に接続されている。そして、受光素子１０２と電流・電圧変換回路１０３の相互接続点が比較増幅器１０５の一方の入力端に接続されている。この比較増幅器１０５の他方の入力端には基準電圧源１０４が接続されている。比較増幅器１０５の出力端には、その出力信号の大きさに応じた直流駆動電流をレーザダイオード１０１に供給するバイアス電流駆動回路１０６が接続されている。バイアス電流駆動回路１０６はレーザダイオード１０１と直列にして直流電源間に接続されている。また、温度モニタ１０７と信号入力端子１０８とを備え、これらが変調電流駆動回路１０９の２つの入力端子に接続されている。変調電流駆動回路１０９はバイアス電流駆動回路１０６と並列に接続され、この変調電流駆動回路１０９がレーザダイオード１０１に変調電流を供給する構成になっている。
【０００５】
このような構成により、変調電流駆動回路１０９はレーザダイオード１０１に対する駆動電流Ｉと出力パワーＰとの関係を、温度をパラメータとして記憶しており、温度モニタ１０７がモニタリングした温度に対応してあらかじめ定めた消光比になるように、信号入力端子１０８に加えられるオン、オフ信号に対応した変調電流をレーザダイオード１０１に供給する。バイアス電流駆動回路１０６はその起動時にあらかじめ定めた直流電流をレーザダイオード１０１に供給する。レーザダイオード１０１は変調電流駆動回路１０９とバイアス電流駆動回路１０６がそれぞれ供給する駆動電流に応じて強度が変化する光信号を出力する。
【０００６】
受光素子１０２ではレーザダイオード１０１が出力する光信号のパワーに応じた電流を発生し、この電流が電流・電圧変換回路１０３によってレーザダイオード１０１の出力する光信号の光パワーに応じた電圧に変換される。比較増幅器１０５では基準電圧源１０４が出力する電圧と電流・電圧変換回路１０３が出力する電圧とを比較し、レーザダイオード１０１の光出力が一定となるようにバイアス電流駆動回路１０６が駆動する直流電流値を変化させる。また消光比を一定にするため、温度モニタ１０７でモニタリングした温度に対して変調電流駆動回路１０９が変調電流の電流振幅を変化させることによって消光比を一定に制御している。
【０００７】
しかしながら、図４に示す従来のレーザダイオード駆動回路ではあらかじめレーザダイオードの温度変化に対する駆動電流Ｉと出力パワーＰとの関係を測定してこの関係を変調電流駆動回路１０９に記憶させておく必要がある。また、レーザダイオードの経年劣化で駆動電流Ｉに対して出力パワーＰが小さくなった場合には消光比の制御は不可能となる。
【０００８】
図５もまた消光比を制御するもので、一般に広く知られ、先行技術文献情報の無い従来のもう１つのレーザダイオード駆動回路の構成を示すブロック図であり、図中、図４に示すレーザダイオード駆動回路と同一の要素には同一の符号を付してその説明を省略する。このレーザダイオード駆動回路は図４中の温度モニタ１０７を除去し、その代わりに、電流・電圧変換回路１０３が出力する電圧信号の変調振幅を検出するピーク検出回路１１０と、このピーク検出回路１１０の出力端が一方の入力端に接続され、振幅に対応する基準電圧を発生する基準電圧源１１１が他方の入力端に接続され、その出力端が変調電流駆動回路１０９に接続された比較増幅器１１２とを設けたものである。
【０００９】
この図５に示したレーザダイオード駆動回路の動作について、特に、図４と構成を異にする部分を中心にして以下に説明する。電流・電圧変換回路１０３はレーザダイオード１０１が出力する光信号の出力パワーに応じた電圧を出力し、この電圧がピーク検出回路１１０にも加えられる。ピーク検出回路１１０は、自身に加えられる電圧に基づいて、レーザダイオード１０１が出力する光信号の変調振幅に対応した電圧を出力する。比較増幅器１１２では、ピーク検出回路１１０が出力する電圧と基準電圧源１１１が出力する電圧とを比較し、その差電圧を変調電流駆動回路１０９に加える。変調電流駆動回路１０９は比較増幅器１１２から加えられた電圧がゼロになるように、すなわち、レーザダイオード１０１が出力する光信号の変調振幅が一定となるように変調電流を制御する。これによって、レーザダイオード１０１が出力する光信号の消光比が一定に制御される。
【００１０】
しかしながら、図５に示すレーザダイオード駆動回路では、信号入力端子１０８に入力される信号のデータレートが１Gb/s程度と大きい場合、受光素子１０２の応答に高速性が要求されるとともに、信号入力端子１０８に入力する信号のデータパターンや同符号の連続によって変調振幅を変動させてしまう。
【発明の開示】
【発明が解決しようとする課題】
【００１１】
以上に述べたように、図４に示す従来のレーザダイオード駆動回路では、あらかじめレーザダイオードの温度変化に対する駆動電流対出力パワーの変化を測定する必要がある。また、レーザダイオードの経年劣化で駆動電流に対して出力パワーが小さくなった場合に、消光比制御が不可能になるという問題があった。
一方、図５に示す従来のもう１つのレーザダイオード駆動回路では、入力する信号のデータレートが１Gb/s程度と大きい場合、光信号用のモニタ受光素子に高速性が要求されるとともに、入力する信号のデータパターンや同符号の連続によって消光比を変動させてしまうという問題があった。
【００１２】
本発明は上記の問題点を解決するためになされたもので、あらかじめレーザダイオードの温度変化に対する駆動電流対出力パワーの変化を測定する必要がなく、かつ、レーザダイオードの経年劣化で駆動電流に対して出力パワーが小さくなった場合においても消光比制御を可能とし、さらに、入力する信号のデータレートが１Gb/s程度と大きい場合でも、高速な受光素子を用いる必要がなく、しかも、入力する信号のデータパターンや同符号の連続によって消光比を変動させることのないレーザダイオード駆動回路及びこのレーザダイオード駆動回路を用いた光送信装置を提供することを目的とする。
【課題を解決するための手段】
【００１３】
請求項１に係る発明は、入力データ信号に従ってレーザダイオードの駆動電流を変調する変調電流の振幅を、前記レーザダイオードの出力パワーをモニタリングする受光素子の光出力モニタ信号に基づいて制御するレーザダイオード駆動回路において、
前記入力データ信号を入力し、所定の周波数より低い周波数成分を通過させ、高い周波数成分を減衰させて出力するローパスフィルタと、
前記ローパスフィルタの出力信号と前記光出力モニタ信号とを比較し、偏差信号を出力する比較増幅手段と、
前記比較増幅手段から出力される偏差信号のピークレベルを検出するピーク検出手段と、
前記入力データ信号に従って前記レーザダイオードの駆動電流を変調する変調電流を出力するとともに、前記ピーク検出手段によるピークレベルの検出値が最小になるように変調電流の振幅を変化させる変調電流駆動手段とを備えたことを特徴とする。
この構成により、レーザダイオードの温度特性を測定する必要がなく、駆動電流に対して出力パワーが小さくなった場合においても消光比制御を可能とし、さらに、入力する信号のデータレートが大きい場合でも、高速な受光素子を用いる必要がなく、入力する信号のデータパターンや同符号の連続によって消光比の変動を抑えることができる。
【００１４】
請求項２に係る発明は、入力データ信号に従ってレーザダイオードの駆動電流を変調する変調電流の振幅を、前記レーザダイオードの出力パワーをモニタリングする受光素子の光出力モニタ信号に基づいて制御するレーザダイオード駆動回路において、
前記入力データ信号を入力し、所定の周波数より低い周波数成分を通過させ、高い周波数成分を減衰させて出力するローパスフィルタと、
前記ローパスフィルタの出力信号のピークレベルを検出する第１のピーク検出手段及び前記光出力モニタ信号のピークレベルを検出する第２のピーク検出手段と、
前記第１のピーク検出手段の出力と前記第２のピーク検出手段の出力とを比較し、偏差信号を出力する比較増幅手段と、
前記入力データ信号に従って前記レーザダイオードの駆動電流を変調する変調電流を出力するとともに、前記比較増幅手段の出力レベルが最小になるように変調電流の振幅を変化させる変調電流駆動手段とを備えたことを特徴とする。
この構成により、レーザダイオードの温度特性を測定する必要がなく、駆動電流に対して出力パワーが小さくなった場合においても消光比制御を可能とし、さらに、入力する信号のデータレートが大きい場合でも、高速な受光素子を用いる必要がなく、入力する信号のデータパターンや同符号の連続によって消光比の変動を抑えることができる。
【００１５】
請求項３に係る発明は、請求項１又は２に記載のレーザダイオード駆動回路において、前記比較増幅手段に対する前記入力データ信号の入力経路に信号を遅延させる遅延手段を備えたことを特徴とする。
この構成により、比較増幅手段にて比較される２つの信号の遅延分が合わせられ、変調電流の振幅をより高精度にて制御することができる。
【００１６】
請求項４に係る発明は、請求項１から３のいずれか１つに記載のレーザダイオード駆動回路において、前記光出力モニタ信号の平均値によってレーザダイオードを駆動する直流電流値を決定することを特徴とする。
この構成により、バイアス電流を安定化させることができる。
【００１７】
請求項５に係る発明は、請求項１から４のいずれか１つに記載のレーザダイオード駆動回路を集積回路内に集積化したことを特徴とするレーザダイオード駆動回路である。
この構成により、小型化や、安定化が図れるなどの利点が発揮され、その取り扱いも容易になる。
【００１８】
請求項６に係る発明は、レーザダイオードと、このレーザダイオードを駆動する請求項１から５のいずれか１つに記載のレーザダイオード駆動回路とを備えたことを特徴とする光送信装置である。
この構成により、レーザダイオードの温度特性を測定する必要がなく、駆動電流に対して出力パワーが小さくなった場合においても消光比制御を可能とし、さらに、入力する信号のデータレートが大きい場合でも、高速な受光素子を用いる必要がなく、入力する信号のデータパターンや同符号の連続によって消光比の変動を抑えることができる光送信装置が得られる。
【発明の効果】
【００１９】
本発明によれば、あらかじめレーザダイオードの温度変化に対する駆動電流対出力パワーの変化を測定する必要がなく、また、レーザダイオードの経年劣化で駆動電流に対し出力パワーが小さくなった場合においても消光比制御を可能とする。また、入力する信号のデータレートが1Gb/sなど大きい場合でも、高速な受光素子を不要とするとともに、入力する信号のデータパターンや同符号の連続によって消光比を変動させないレーザダイオード駆動回路及びこのレーザ駆動回路を用いた光送信装置が提供される。
【発明を実施するための最良の形態】
【００２０】
以下、本発明を図面に示す好適な実施の形態に基づいて詳細に説明する。図１は本発明に係るレーザダイオード駆動回路の一実施の形態の構成を示すブロック図である。図１において、レーザダイオード３と、このレーザダイオード３に変調電流を供給する変調電流駆動回路１及びバイアス電流を供給するバイアス電流駆動回路２の並列接続回路とが直流電源間に直列に接続されている。そして、レーザダイオード３の出力パワーをモニタリングするために受光素子４が設けられている。この受光素子４とその電流を電圧に変換する電流・電圧変換回路５とが直流電源に直列に接続されている。これらの相互接続点に増幅器６の入力端が接続されている。
【００２１】
一方、信号入力端子７には、変調電流駆動回路１の第１の入力端が接続されるとともに、遅延回路８及びローパスフィルタ９の直列接続回路を介して、比較増幅器１０の一方の入力端が接続されている。比較増幅器１０の他方の入力端には増幅器６の出力端が接続されている。比較増幅器１０の出力端にはピーク検出回路１１の入力端が接続され、このピーク検出回路１１の出力端には変調電流駆動回路１の第２の入力端が接続されている。
【００２２】
また、受光素子４と電流・電圧変換回路５との相互接続点には、ローパスフィルタ１２を介して、比較増幅器１３の一方の入力端が接続され、この比較増幅器１３の他方の入力端に基準電圧源１４が接続されている。比較増幅器１３の出力端にはバイアス電流駆動回路２の入力端が接続されている。
【００２３】
上記のように構成されたレーザダイオード駆動回路の実施の形態の動作について以下に説明する。
変調電流駆動回路１とバイアス電流駆動回路２とがレーザダイオード３の駆動電流を供給する。このうち、変調電流駆動回路１は信号入力端子７に入力される電気信号に応じてレーザダイオード３の駆動電流を変調する。バイアス電流駆動回路２は比較増幅器１３からの電圧値に応じたバイアス電流、例えば、比較増幅器１３からの電圧値が大きいときは駆動電流を小さくし、反対に、比較増幅器１３からの電圧値が小さいときは駆動電流を大きくしてレーザダイオード３に供給する。レーザダイオード３は変調電流駆動回路１とバイアス電流駆動回路２が駆動する電流に応じて強度が変化する光信号を出力する。
【００２４】
受光素子４はレーザダイオード３の光信号を受け、その出力パワーに応じた電流を生じさせる。電流・電圧変換回路５はこの電流を電圧に変換する。増幅器６は電流・電圧変換回路５によって変換された電圧を増幅し、比較増幅器１０に加える。一方、信号入力端子７より入力された信号は、遅延回路８によって遅延され、ローパスフィルタ９を介して、比較増幅器１０に加えられる。ここで、比較増幅器１０は２つの入力の差に応じた電圧を出力し、その電圧に応じて変調電流駆動回路１が出力するレーザダイオード変調電流の電流振幅を変化させ、レーザダイオード３が出力する光信号の変調振幅を一定にしている。
【００２５】
このような構成でレーザダイオード３が出力する光信号の変調振幅を一定にする原理を図２のタイムチャートを使って説明する。図２（ａ）に示すのはデジタル変調されたレーザダイオード３のレーザ出力パワーの波形Ａと、レーザダイオード３の出力信号を電流変換した受光素子４の出力電流の波形Ｂである。ここで、レーザダイオード３の波形Ａに対して、受光素子４の波形Ｂは受光素子４の応答速度が不足するために波形Ａと同様の波形を再生することができない。すなわち、出力電流の波形Ｂはその応答の低さにより入力する信号のデータレートが大きい場合でも緩やかに変化し、同符号の連続によってあたかも積分動作をするように変化する。
【００２６】
本実施の形態は信号のデータレートに応じてローパスフィルタ９の遮断周波数を適切に選定することによって、波形Ｂに類似した信号が得られることに着目したものである。図２（ｂ）は受光素子４の波形Ｂに対応する電流・電圧変換回路５の出力電圧の波形Ｃを示している。ここで、レーザダイオード３が出力する光信号の変調振幅が大きくなった場合は、破線Ｄで示すように振幅が大きくなる。出力電圧の波形Ｃのような電流・電圧変換回路５の出力と、信号入力端子７から入力された信号を、遅延回路８及びローパスフィルタ９を通過した信号とが比較増幅器１０に加えられると、これらの信号が比較され、この比較増幅器１０から図２（ｃ）に示すように、基準の変調振幅時の波形Ｅ又は変調振幅が大きい場合の波形Ｆに示す電圧信号が出力される。
【００２７】
ここで、信号入力端子７から遅延回路８を通過して比較増幅器１０の一方の入力端子までの経路における遅延と、信号入力端子７からレーザダイオード３及び受光素子４を介して比較増幅器１０の他の入力端子に到達するまでの経路における遅延とが一致するように遅延回路８の遅延量を設定し、さらに上記２つの経路の応答速度を同じにするようにローパスフィルタ９の応答速度を設定し、また、レーザダイオード３が出力する光信号の変調振幅が基準の状態で上記２つの経路のロスが一致するように増幅器６のゲインを設定することによって、図２（ｃ）に示すように、レーザダイオード３の出力する光信号の変調振幅が基準値であれば比較増幅器１０の出力は波形Ｅに示すように一定電圧を示す。一方、レーザダイオード３の出力する光信号の変調振幅が大きい場合には破線の波形Ｆに示すような波形となり、一定電圧とはならない。そこで、この信号をピーク検出回路１１に入力すると図２（ｄ）に示す通り、レーザダイオード３の光信号出力の変調振幅が基準の変調振幅であれば直線Ｇに示す電圧が出力されるが、変調振幅が大きい場合には破線Ｈに示すように電圧値が上昇する。また、図示を省略したが、レーザダイオード３の光信号の変調振幅が基準の変調振幅よりも小さい場合には、比較増幅器１０の出力は符号が反転するが、ピーク検出回路１１は破線Ｈに示すように基準の変調振幅に対応する電圧よりも大きな電圧を出力する。変調電流駆動回路１ではピーク検出回路１１の出力電圧が常に最小となるように変調電流を制御する。これによって、レーザダイオード３が出力する光信号の変調振幅は一定になる。
【００２８】
一方、本実施の形態に係るレーザダイオード駆動回路では、電流・電圧変換回路５が出力する電圧をローパスフィルタ１２で平均化し、基準電圧源１４が出力する電圧とローパスフィルタ１２から出力されるレーザダイオード３の光信号の出力パワーをモニタリングした電圧とを比較し、レーザダイオード３の光出力の平均値が一定となるようにバイアス電流駆動回路２が駆動する電流値を変化させる。
このように、本実施の形態によれば、データレートが1Gb/sなど大きい場合でも応答速度の遅い受光素子４で対応することができ、また、データパターンや同符号が連続した場合に起こり得る光出力モニタ信号の変化が比較増幅器１０の出力差として現れ、この出力差に応じたピーク検出が行われ、さらに、その検出値が最小になるように変調電流駆動回路１が動作するので、レーザダイオード３が出力する光信号の変調振幅が一定に制御され、光出力モニタ信号が平均化されて平均出力パワーも一定に制御され、これによって消光比を一定に制御することができる。
【００２９】
ところで、上述したレーザダイオード駆動回路を構成する各要素を集積回路（ＩＣ）内に集積化することによって、小型化や、安定化が図れるなどの利点が発揮され、その取り扱いも容易になるという利点も得られる。
さらに、本実施の形態に係るレーザダイオード駆動回路を用いて光送信装置を構成することによって、レーザダイオードの温度特性をあらかじめ測定する必要がなく、レーザダイオードの特性が経年劣化した場合においても消光比制御が可能で、かつ、データレートが大きい場合でも、高速な受光素子が不要で、入力する信号のデータパターンや同符号の連続によって消光比が変動することのない装置を構成することができる。
【００３０】
また、本実施の形態では、ローパスフィルタ９の出力と増幅器６の出力とを比較増幅器１０によって比較増幅した後、ピーク検出回路１１でピーク検出を行ったが、この代わりに、ローパスフィルタ９の出力経路と増幅器６の出力経路にそれぞれピーク検出回路１１を設け、これら２つのピーク検出回路１１の出力を比較増幅器１０の入力としてその差分を求め、この差分を変調電流駆動回路１に加えるようにしても上述したのと同様な効果が得られる。
さらにまた、本実施の形態では互いに独立した要素によってレーザダイオードの駆動回路を構成したが、これら構成要素の機能をマイクロコンピュータなどのデータ処理装置に持たせることによって、構成の簡易化を図ることができる。
【産業上の利用可能性】
【００３１】
本発明によれば、レーザダイオードの消光比制御が適切に行われるなどの効果を奏するので、光通信分野などで有用である。
【図面の簡単な説明】
【００３２】
【図１】本発明に係るレーザダイオード駆動回路の一実施の形態の構成を示すブロック回路図
【図２】図１に示した一実施の形態の動作を説明するためのタイムチャート
【図３】本発明に係るレーザダイオード駆動回路を適用するレーザダイオードの駆動電流と出力パワーとの関係を、２つの温度条件について示した線図
【図４】従来のレーザダイオード駆動回路の構成を示すブロック図
【図５】従来のもう１つのレーザダイオード駆動回路の構成を示すブロック図
【符号の説明】
【００３３】
１  変調電流駆動回路（変調電流駆動手段）
２  バイアス電流駆動回路
３  レーザダイオード
４  受光素子
５  電流・電圧変換回路
６  増幅器
７  信号入力端子
８  遅延回路
９、１２  ローパスフィルタ
１０、１３  比較増幅器（比較増幅手段）
１１  ピーク検出回路（ピーク検出手段）
１４  基準電圧源
【図１】
2005057216.tif 000003
【図２】
2005057216.tif 000004
【図３】
2005057216.tif 000005
【図４】
2005057216.tif 000006
【図５】
2005057216.tif 000007